(57)【要約】      （修正有）【課題】従来の生理用品では、ナプキン・タイプのものがあったが、タンポンつきはなく、横もれ後ろ漏れで不便であった。よって、タンポンつきナプキンで不便を解消する。【解決手段】生理用普通ナプキン（１）を手にとり、中に紐についたタンポン（２）を膣に挿入して、ナプキンを陰部分にあててパンティを履くだけ。生理時に使う。【選択図】図１
0003126351.tif 000002
【実用新案登録請求の範囲】
【請求項１】
生理用品ナプキン（１）に中にタンポン（２）がついており（種類は未知数）生理時に使う。生理用品の新しいタイプで、ナプキン＋タンポンで生理のときの出血を最小限に防ぐ
【請求項２】
請求項１における、新女性用生理用品類。
【考案の詳細な説明】
【考案の詳細な説明】
【００１】〔産業上の利用分野〕
この考案は、おもに女性利用の生理用品に関するものである。
【００２】〔従来の技術〕
従来の生理用品としては、ナプキン・タイプのものがあったが、タンポンつきのものはなく、不便であった
【考案が解決しようとする課題】
【００３】従来のナプキンでは漏れがあり、それをタンポンと連動することによって生理のときの出血の漏れを完全にシャットアウトする。これで女性はアノ日でも安心でき、生理出血によるベッドの汚れも解決する。
【００４】〔考案が解決しようとする手段〕
ナプキン（１）（種は未知数）の中にタンポン（２）がついて（種は未知数）おり、生理時に使用する。
【００５】〔作用〕
ナプキン（１）についたタンポン（２）（種類未知数ヒモでついてある）を陰部にあてて、タンポンを膣に挿入して、ナプキンをあてる。生理前に準備する。生理時の出血をタンポンさらにナプキンで防ぐ
【実施例１】
【００６】ナプキンに紐でついたタンポン（２）を手にとり、膣に挿入、ナプキン（１）を陰部にあてて、生理する。
【考案の効果】
【００７】  本考案は上記した構造をなすものであるから、生理時にわずらわしさや、不便さを解消し、持ち運びや携帯に便利という効果がある
【図面の簡単な説明】
【図１】
【符号の説明】
１は、生理用普通のナプキン（またはボディフットと呼ばれる商品）
２は、生理用普通のタンポン（紐で（１）とつながっている）
【図１】
0003126351.tif 000003
【手続補正書】
【提出日】平成17年12月21日(2005.12.21)
【手続補正１】
【補正対象書類名】明細書
【補正の内容】
0003126351.tif 000004
0003126351.tif 000005
0003126351.tif 000006
【手続補正書】
【提出日】平成18年3月8日(2006.3.8)
【手続補正１】
【補正対象書類名】実用新案登録請求の範囲
【補正対象項目名】全文
【補正方法】変更
【補正の内容】
【実用新案登録請求の範囲】
【請求項１】
生理用品ナプキン（１）の中に紐でタンポン（２）がついており（種類未知数）生理的に使う生理用品のタイプで、ナプキン＋タンポンで生理のときの出血を最小限に防ぐ女性用生理用品である。
【手続補正２】
【補正対象書類名】明細書
【補正対象項目名】全文
【補正方法】変更
【補正の内容】
【考案の詳細な説明】
〔産業上の利用分野〕
【０００１】  この考案は、おもに女性利用の生理用品に関するものである。
〔従来の技術〕
【０００２】  従来の生理用品としては、ナプキン・タイプのものがあったが、タンポンつきのものはなく、不便であった。
【考案が解決しようとする課題】
【０００３】  従来の生理用品ナプキンでは漏れがあり、それをタンポンと連動することによって生理のときの出血の漏れを完全にシャットアウトする。これで女性はアノ日でも安心でき、生理出血によるベッドの汚れを解決する。
〔考案が解決しようとする手段〕
【０００４】  ナプキン（１）（種は未知数）の中にタンポン（２）がついて（種は未知数）おり生理的に使用する。
〔作用〕
【０００５】  ナプキン（１）についたタンポン（２）（種類は未知数でヒモでついてある）を陰部にあてて、タンポンを膣に押入して、ナプキンをあてる。生理的出血を防ぐ女性生理用品である。
【実施例１】
【０００６】  ナプキンに紐でついてあるタンポン（２）を手にとり、膣に押入、ナプキン（１）を陰部にあてて生理する。
【考案の効果】
【０００７】  本考案は上記した講造をなすものであるから、生理時のわずらわしさや、不便を解消し、持ち運びや携帯に便利という効果がある。
【図面の簡単な説明】
【０００８】
【図１】本考案は全体の図面である。
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
生理用品ナプキン（１）の中にタンポン（２）がついており、生理時に使う。生理用品の新しいタイプで、ナプキン＋タンポンで生理のときの出血を最小限に防ぐ女性用生理用品である。
【手続補正２】
【補正対象書類名】明細書
【補正対象項目名】全文
【補正方法】変更
【補正の内容】
【考案の詳細な説明】
【産業上の利用分野】
【０００１】生理用品ナプキン（１）の中にタンポン（２）がついており生理時に使う。生理用品の新しいタイプで、ナプキン＋タンポンで生理のときの出血を最小限に防ぐ女性用生理用品である。
【背景技術】
【０００２】従来の生理用品としては、ナプキン・タイプのものがあったが、タンポンつきのものはなく、不便であった。
【考案が解決しようとする課題】
【０００３】従来のナプキンでは漏れがあり、それをタンポンと連動することによって生理のときの出血の漏れを完全にシャトアウトする。これで女性はアノ日でも安心でき、生理出血によるベットの汚れも解消する。
【考案が解決しようとする手段】
【０００５】ナプキン（１）の中にタンポン（２）がついており、生理時に使う。生理用品。
【作用】
【０００６】ナプキン（１）についたタンポン（２）ヒモでついてある  を陰部にあてて、タンポンを膣に挿入して、ナプキンをあてる。生理前に準備する。
生理時の出血をタンポンさらにナプキンで防ぐ女性生理用品である。
【実施例１】
【０００７】ナプキンに紐でついたタンポン（２）を手にとり、膣に挿入、ナプキン（１）を陰部にあてて、生理する。
【考案の効果】
【０００８】  本考案は上記した構造をなすものであるから、生理時のわずらさや、不便さを解消し、持ち運びや携帯に便利という効果がある。
【図面の簡単な説明】
【図１】
【符号の説明】
１は、生理用普通のナプキン（またはボディフットと呼ばれる商品）
２は、生理用普通のタンポン（紐で（１）とつながっている）
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
生理用品ナプキン（１）の中にタンポン（２）がついており、生理時に使う生理用品の新しいタイプで、ナプキン＋タンポンで生理のときの出血を最小限に防ぐ女性用生理用品である
【手続補正２】
【補正対象書類名】明細書
【補正対象項目名】全文
【補正方法】変更
【補正の内容】
【考案の詳細な説明】
【産業上の利用分野】
【０００１】生理用品ナプキン（１）の中にタンポン（２）がついており生理時に使う生理用品の新しいタイプで、ナプキン＋タンポンで生理のときの出血を最小限に防ぐ女性用生理用品である
【背景技術】
【０００２】従来の生理用品としては、ナプキン・タイプのものがあったが、タンポンつきのものはなく、不便であった。
【考案が解決しようとする課題】
【０００３】従来のナプキンでは漏れがあり、それをタンポンと連動することによって生理のときの出血の漏れを完全にシャットアウトし、これで女性はアノ日でも安心でき、生理出血によるベットの汚れも解消する
【考案が解決しようとする手段】
【０００５】ナプキン（１）の中にタンポン（２）がついており、生理時に使う生理用品
【作用】
【０００６】ナプキン（１）についたタンポン（２）ヒモでついてある  を陰部にあてて、タンポンを膣に挿入して、ナプキンをあて生理前に準備し生理時の出血をタンポンさらにナプキンで防ぐ女性生理用品である。
【実施例１】
【０００７】ナプキンに紐でついたタンポン（２）を手にとり  膣に挿入、ナプキン（１）を陰部にあてて、生理する。
【考案の効果】
【０００８】  本考案は上記した構造をなすものであるから  生理時のわずらわしさや、不便さを解消し、持ち運びや携帯に便利という効果がある。
【図面の簡単な説明】
【図１】
【符号の説明】
１は、生理用普通のナプキン（またはボディフットと呼ばれる商品）
２は、生理用普通のタンポン（紐で（１）とつながっている）